(57)【要約】      （修正有）【課題】一定の展示効果があり、アクセサリーの安全を効果的に保護できる水晶のアクセサリーケースを提供する。【解決手段】水晶のアクセサリーケースは、円形ケース１０を含み、前記円形ケースの中には上方へ開口した円形溝３０が設置され、前記円形溝の中には切換機構６０が設置され、前記切換機構は左右対称の円柱溝を含み、前記円柱溝が前記円形溝の下端壁と外部空間とを連通しており、前記円柱溝の左右端壁には磁性溝が対称的に設置され、前記磁性溝のうち前記円柱溝から離れている端壁には磁石が固定的に設置され、この装置は四つの空間に分けられてアクセサリーを置き、異なる種類のアクセサリーを類別して別別に置くことができ、且つ水晶展示板を通してアクセサリーの種類を観察でき、また一定の展示効果があり、アクセサリーを取るまたは置く過程は内部から操作をする必要があり、アクセサリーの安全を効果的に保護できる。【選択図】図１
2020179077.tif 000002
【特許請求の範囲】
【請求項１】
円形ケースを含み、前記円形ケースの中には上方へ開口した円形溝が設置され、前記円形溝の中には切換機構が設置され、前記切換機構は左右対称の円柱溝を含み、前記円柱溝が前記円形溝の下端壁と外部空間とを連通しており、前記円柱溝の左右端壁には磁性溝が対称的に設置され、前記磁性溝のうち前記円柱溝から離れている端壁には磁石が固定的に設置され、前記磁性溝の中には一端が前記円柱溝の中に位置している鉄ブロックがスライドできるように設置され、前記鉄ブロックと前記磁石との間には吸引力が存在しており、前記鉄ブロックの下端面には移動ブロックが固定的に設置され、前記鉄ブロックの中には上端が前記円形溝の中に位置しているトルク軸が  回転できるように設置され、前記トルク軸と前記鉄ブロックとの間には捻りばねが設置され、前記円形溝の中の捻り軸には伝動プーリと伝動ギヤとが固定的に設置され、前記伝動ギヤが前記伝動プーリの上側に位置しており、前記切換機構の上側には置き機構が設置され、前記置き機構は環状に排列されるように設置されている四つの方形溝を含み、前記方形溝は上方へ開口しており、且つ前記円形ケースの中に位置しており、前記方形溝のうち前記円形溝に近接している端壁が前記円形溝に連通しており、左側の前記方形溝を例とし、左側の前記方形溝の後端壁には定位軸が固定的に設置され、前記定位軸には右端が前記円形溝の中に位置している横向きロッドが回転できるように設置され、前記定位軸と前記横向きロッドとの間には圧力ばねが設置され、前記横向きロッドの右端には貯蔵ブロックが固定的に設置され、前記貯蔵ブロックの下端面には底部ブロックが固定的に設置され、前記底部ブロックの前端面には斜めロッドが回転できるように設置され、前記貯蔵ブロックの中には貯蔵溝が設置され、前記貯蔵溝の上端壁には水晶展示板が植設され、前記貯蔵溝の下端壁が弾力溝により前記円形溝と連通しており、前記弾力溝の左端壁には弾力ばねが固定的に設置され、前記弾力ばねの右端には前記弾力溝とスライドできるように連結されている弾力板が固定的に設置され、前記弾力板の下端面には下端が前記円形溝の中に位置している開閉ロッドが固定的に設置され、なお、前記移動ブロックを推し動かし、これにより前記鉄ブロックがもう一つの前記磁石に吸着し、これにより前記切換機構が作動状態にあることを特徴とする水晶のアクセサリーケース。
【請求項２】
二つの前記円柱溝の間には下方へ開口した回転溝が設置され、前記回転溝の上端壁の中には上端が前記円形溝の中に位置している駆動軸が回転できるように連結され、前記駆動軸の下端には回転ブロックが固定的に設置され、前記円形溝の中の前記駆動軸には駆動ギヤが固定的に設置され、前記円形ケースの下端面には収縮ひもが固定的に設置され、前記収縮ひもには調節器が固定的に設置され、なお、前記伝動ギヤが運動した後に前記駆動ギヤと噛み合って伝動できることを特徴とする請求項１に記載の水晶のアクセサリーケース。
【請求項３】
前記置き機構と前記切換機構との間には伝動機構が設置され、前記伝動機構は排列するように設置されている四つの鉛直溝を含み、左側の前記鉛直溝を例とし、前記鉛直溝の上下端壁の間には鉛直軸が回転できるように設置され、前記鉛直軸には台形ブロックが固定的に設置され、前記台形ブロックの上側には前記鉛直軸とスライドできるように連結されている運動ブロックが設置され、前記運動ブロックと前記台形ブロックとの間がベルトにより前記伝動プーリと摩擦して伝動され、前記鉛直軸の中には昇降溝が設置され、前記昇降溝の上端壁には昇降ばねが固定的に設置され、前記昇降ばねの下端には左端が前記運動ブロックと固定的に連結されている昇降ロッドがスライドできるように設置され、前記運動ブロックの上側には前記鉛直軸と固定的に連結されている細ロッドが設置され、
前記鉛直溝の右端壁の中には右端壁が前記円形溝に連通している水平移動溝が設置され、前記水平移動溝と前記鉛直溝とが中間溝により連通され、前記水平移動溝の中には水平移動ブロックがスライドできるように設置され、前記水平移動ブロックの中には左方へ開口した力蓄積溝が設置され、前記力蓄積溝の右端壁には力蓄積ばねが固定的に設置され、前記力蓄積ばねの左端には左端が前記中間溝の中に位置している力蓄積ブロックが固定的に設置され、前記水平移動ブロックの右端面には右端が前記円形溝の中に位置している支持ブロックが固定的に設置され、前記支持ブロックが前記斜めロッドと回転できるように連結され、なお、前記細ロッドが回転している時に前記力蓄積ブロックを前記中間溝の中から押し出すことができ、これにより前記水平移動ブロックを連動させて上昇させることを特徴とする請求項１に記載の水晶のアクセサリーケース。
【発明の詳細な説明】
【技術分野】
【０００１】
本発明は水晶分野を取り上げて、具体的には水晶のアクセサリーケースである。
【背景技術】
【０００２】
水晶は無色透明な鉱物結晶であり、割られた後に反射を通じて美しい視覚効果を生み出し、水晶のアクセサリーケースはアクセサリーを収納でき、しかもそれ自身が一定の装飾効果を持っており、しかし、現有の水晶のアクセサリーケースは形もアクセサリーを取る又は置く方式も単一であり、アクセサリーを保護及び展示する効果があまりよくない。
【先行技術文献】
【特許文献】
【０００３】
【特許文献１】中国特許出願公開第109640733号明細書
【発明の概要】
【発明が解決しようとする課題】
【０００４】
本発明は水晶のアクセサリーケースを提供し、上記背景技術において提出された問題を解決することを目的とする。
【課題を解決するための手段】
【０００５】
上記の目的を実現するために、本発明は以下の技術プランを提供する：水晶のアクセサリーケースは、円形ケースを含み、前記円形ケースの中には上方へ開口した円形溝が設置され、前記円形溝の中には切換機構が設置され、前記切換機構は左右対称の円柱溝を含み、前記円柱溝が前記円形溝の下端壁と外部空間とを連通しており、前記円柱溝の左右端壁には磁性溝が対称的に設置され、前記磁性溝のうち前記円柱溝から離れている端壁には磁石が固定的に設置され、前記磁性溝の中には一端が前記円柱溝の中に位置している鉄ブロックがスライドできるように設置され、前記鉄ブロックと前記磁石との間には吸引力が存在しており、前記鉄ブロックの下端面には移動ブロックが固定的に設置され、前記鉄ブロックの中には上端が前記円形溝の中に位置しているトルク軸が  回転できるように設置され、前記トルク軸と前記鉄ブロックとの間には捻りばねが設置され、前記円形溝の中の捻り軸には伝動プーリと伝動ギヤとが固定的に設置され、前記伝動ギヤが前記伝動プーリの上側に位置しており、前記切換機構の上側には置き機構が設置され、前記置き機構は環状に排列されるように設置されている四つの方形溝を含み、前記方形溝は上方へ開口しており、且つ前記円形ケースの中に位置しており、前記方形溝のうち前記円形溝に近接している端壁が前記円形溝に連通しており、左側の前記方形溝を例とし、左側の前記方形溝の後端壁には定位軸が固定的に設置され、前記定位軸には右端が前記円形溝の中に位置している横向きロッドが回転できるように設置され、前記定位軸と前記横向きロッドとの間には圧力ばねが設置され、前記横向きロッドの右端には貯蔵ブロックが固定的に設置され、前記貯蔵ブロックの下端面には底部ブロックが固定的に設置され、前記底部ブロックの前端面には斜めロッドが回転できるように設置され、前記貯蔵ブロックの中には貯蔵溝が設置され、前記貯蔵溝の上端壁には水晶展示板が植設され、前記貯蔵溝の下端壁が弾力溝により前記円形溝と連通しており、前記弾力溝の左端壁には弾力ばねが固定的に設置され、前記弾力ばねの右端には前記弾力溝とスライドできるように連結されている弾力板が固定的に設置され、前記弾力板の下端面には下端が前記円形溝の中に位置している開閉ロッドが固定的に設置され、なお、前記移動ブロックを推し動かし、これにより前記鉄ブロックがもう一つの前記磁石に吸着し、これにより前記切換機構が作動状態にある。
【０００６】
好ましくは、二つの前記円柱溝の間には下方へ開口した回転溝が設置され、前記回転溝の上端壁の中には上端が前記円形溝の中に位置している駆動軸が回転できるように連結され、前記駆動軸の下端には回転ブロックが固定的に設置され、前記円形溝の中の前記駆動軸には駆動ギヤが固定的に設置され、前記円形ケースの下端面には収縮ひもが固定的に設置され、前記収縮ひもには調節器が固定的に設置され、なお、前記伝動ギヤが運動した後に前記駆動ギヤと噛み合って伝動できる。
【０００７】
好ましくは、前記置き機構と前記切換機構との間には伝動機構が設置され、前記伝動機構は排列するように設置されている四つの鉛直溝を含み、左側の前記鉛直溝を例とし、前記鉛直溝の上下端壁の間には鉛直軸が回転できるように設置され、前記鉛直軸には台形ブロックが固定的に設置され、前記台形ブロックの上側には前記鉛直軸とスライドできるように連結されている運動ブロックが設置され、前記運動ブロックと前記台形ブロックとの間がベルトにより前記伝動プーリと摩擦して伝動され、前記鉛直軸の中には昇降溝が設置され、前記昇降溝の上端壁には昇降ばねが固定的に設置され、前記昇降ばねの下端には左端が前記運動ブロックと固定的に連結されている昇降ロッドがスライドできるように設置され、前記運動ブロックの上側には前記鉛直軸と固定的に連結されている細ロッドが設置されている。
【０００８】
前記鉛直溝の右端壁の中には右端壁が前記円形溝に連通している水平移動溝が設置され、前記水平移動溝と前記鉛直溝とが中間溝により連通され、前記水平移動溝の中には水平移動ブロックがスライドできるように設置され、前記水平移動ブロックの中には左方へ開口した力蓄積溝が設置され、前記力蓄積溝の右端壁には力蓄積ばねが固定的に設置され、前記力蓄積ばねの左端には左端が前記中間溝の中に位置している力蓄積ブロックが固定的に設置され、前記水平移動ブロックの右端面には右端が前記円形溝の中に位置している支持ブロックが固定的に設置され、前記支持ブロックが前記斜めロッドと回転できるように連結され、なお、前記細ロッドが回転している時に前記力蓄積ブロックを前記中間溝の中から押し出すことができ、これにより前記水平移動ブロックを連動させて上昇させる。
【発明の効果】
【０００９】
本発明の有益効果は：この装置は四つの空間に分けられてアクセサリーを置き、異なる種類のアクセサリーを類別して別別に置くことができ、且つ水晶展示板を通してアクセサリーの種類を観察でき、また一定の展示効果があり、アクセサリーを取るまたは置く過程は内部から操作をする必要があり、アクセサリーの安全を効果的に保護できる。
【図面の簡単な説明】
【００１０】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の水晶のアクセサリーケースの全体断面の正面構成模式図
【図２】図２は図１の中のＡにおける拡大構成模式図
【図３】図３は図１の中のＢにおける拡大構成模式図
【図４】図４は図１の中のＣ―Ｃにおける構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の実施例は：水晶のアクセサリーケースであり、円形ケース１０を含み、前記円形ケース１０の中には上方へ開口した円形溝３０が設置され、前記円形溝３０の中には切換機構６０が設置され、前記切換機構６０は左右対称の円柱溝５６を含み、前記円柱溝５６が前記円形溝３０の下端壁と外部空間とを連通しており、前記円柱溝５６の左右端壁には磁性溝４８が対称的に設置され、前記磁性溝４８のうち前記円柱溝５６から離れている端壁には磁石４７が固定的に設置され、前記磁性溝４８の中には一端が前記円柱溝５６の中に位置している鉄ブロック５２がスライドできるように設置され、前記鉄ブロック５２と前記磁石４７との間には吸引力が存在しており、前記鉄ブロック５２の下端面には移動ブロック５４が固定的に設置され、前記鉄ブロック５２の中には上端が前記円形溝３０の中に位置しているトルク軸５０が  回転できるように設置され、前記トルク軸５０と前記鉄ブロック５２との間には捻りばね５３が設置され、前記円形溝３０の中の捻り軸５０には伝動プーリ４９と伝動ギヤ５１とが固定的に設置され、前記伝動ギヤ５１が前記伝動プーリ４９の上側に位置しており、前記切換機構６０の上側には置き機構６１が設置され、前記置き機構６１は環状に排列されるように設置されている四つの方形溝１２を含み、前記方形溝１２は上方へ開口しており、且つ前記円形ケース１０の中に位置しており、前記方形溝１２のうち前記円形溝３０に近接している端壁が前記円形溝３０に連通しており、左側の前記方形溝１２を例とし、左側の前記方形溝１２の後端壁には定位軸１３が固定的に設置され、前記定位軸１３には右端が前記円形溝３０の中に位置している横向きロッド１５が回転できるように設置され、前記定位軸１３と前記横向きロッド１５との間には圧力ばね１４が設置され、前記横向きロッド１５の右端には貯蔵ブロック２３が固定的に設置され、前記貯蔵ブロック２３の下端面には底部ブロック１６が固定的に設置され、前記底部ブロック１６の前端面には斜めロッド１１が回転できるように設置され、前記貯蔵ブロック２３の中には貯蔵溝１９が設置され、前記貯蔵溝１９の上端壁には水晶展示板１８が植設され、前記貯蔵溝１９の下端壁が弾力溝２２により前記円形溝３０と連通しており、前記弾力溝２２の左端壁には弾力ばね２１が固定的に設置され、前記弾力ばね２１の右端には前記弾力溝２２とスライドできるように連結されている弾力板２０が固定的に設置され、前記弾力板２０の下端面には下端が前記円形溝３０の中に位置している開閉ロッド１７が固定的に設置され、なお、前記移動ブロック５４を推し動かし、これにより前記鉄ブロック５２がもう一つの前記磁石４７に吸着し、これにより前記切換機構６０が作動状態にある。
【００１４】
有益的には、二つの前記円柱溝５６の間には下方へ開口した回転溝２７が設置され、前記回転溝２７の上端壁の中には上端が前記円形溝３０の中に位置している駆動軸２６が回転できるように連結され、前記駆動軸２６の下端には回転ブロック２４が固定的に設置され、前記円形溝３０の中の前記駆動軸２６には駆動ギヤ２８が固定的に設置され、前記円形ケース１０の下端面には収縮ひも２９が固定的に設置され、前記収縮ひも２９には調節器２５が固定的に設置され、なお、前記伝動ギヤ５１が運動した後に前記駆動ギヤ２８と噛み合って伝動できる。
【００１５】
有益的には、前記置き機構６１と前記切換機構６０との間には伝動機構６２が設置され、前記伝動機構６２は排列するように設置されている四つの鉛直溝３７を含み、左側の前記鉛直溝３７を例とし、前記鉛直溝３７の上下端壁の間には鉛直軸３９が回転できるように設置され、前記鉛直軸３９には台形ブロック３２が固定的に設置され、前記台形ブロック３２の上側には前記鉛直軸３９とスライドできるように連結されている運動ブロック３４が設置され、前記運動ブロック３４と前記台形ブロック３２との間がベルト３１により前記伝動プーリ４９と摩擦して伝動され、前記鉛直軸３９の中には昇降溝３５が設置され、前記昇降溝３５の上端壁には昇降ばね３６が固定的に設置され、前記昇降ばね３６の下端には左端が前記運動ブロック３４と固定的に連結されている昇降ロッド３３がスライドできるように設置され、前記運動ブロック３４の上側には前記鉛直軸３９と固定的に連結されている細ロッド３８が設置されている。
【００１６】
前記鉛直溝３７の右端壁の中には右端壁が前記円形溝３０に連通している水平移動溝４３が設置され、前記水平移動溝４３と前記鉛直溝３７とが中間溝４０により連通され、前記水平移動溝４３の中には水平移動ブロック４２がスライドできるように設置され、前記水平移動ブロック４２の中には左方へ開口した力蓄積溝４６が設置され、前記力蓄積溝４６の右端壁には力蓄積ばね４５が固定的に設置され、前記力蓄積ばね４５の左端には左端が前記中間溝４０の中に位置している力蓄積ブロック４１が固定的に設置され、前記水平移動ブロック４２の右端面には右端が前記円形溝３０の中に位置している支持ブロック４４が固定的に設置され、前記支持ブロック４４が前記斜めロッド１１と回転できるように連結され、なお、前記細ロッド３８が回転している時に前記力蓄積ブロック４１を前記中間溝４０の中から押し出すことができ、これにより前記水平移動ブロック４２を連動させて上昇させる。
【００１７】
以下、出願人は付図１〜４及び上記の本出願の水晶のアクセサリーケースの具体的な構成を参照して本出願の水晶のアクセサリーケースの使用方法を詳しく紹介する：初期状態において、圧力ばね１４が圧縮状態にあり、すべての貯蔵溝１９の中にアクセサリーが貯蔵されている。
【００１８】
水晶展示板１８を通して貯蔵溝１９に貯蔵されているアクセサリーを観察でき、ある貯蔵溝１９にあるアクセサリーを取り出す時、対応した移動ブロック５４を推し動かし、これにより鉄ブロック５２がもう一つの磁石４７に吸着し、対応した伝動ギヤ５１が駆動ギヤ２８と噛み合い、鉄ブロック５２が運動ブロック３４を引き動かして上へ運動させ、回転ブロック２４を回転させ、駆動ギヤ２８を連動させて回転させ、駆動ギヤ２８と伝動ギヤ５１との噛み合いによる伝動を通して、伝動プーリ４９を連動させて回転させ、ベルト３１の摩擦による伝動を通して、台形ブロック３２を連動させて回転させることができ、これにより細ロッド３８を連動させて回転させ、力蓄積ブロック４１を推し動かして中間溝４０から離脱させ、圧力ばね１４が復帰し、水平移動ブロック４２を連動させて上昇させ、横向きロッド１５が回転し、これにより貯蔵ブロック２３を連動させて一定の角度回転させ、この時、開閉ロッド１７を押し動かし、貯蔵溝１９の中からアクセサリーを取る又は貯蔵溝１９の中にアクセサリーを置くことができ、収縮ひも２９を利用して装置をアームまたは腰にくくることができ、調節器２５が収縮ひも２９の長さを調節できる。
【００１９】
本発明の有益効果は：この装置は四つの空間に分けられてアクセサリーを置き、異なる種類のアクセサリーを類別して別別に置くことができ、且つ水晶展示板を通してアクセサリーの種類を観察でき、また一定の展示効果があり、アクセサリーを取るまたは置く過程は内部から操作をする必要があり、アクセサリーの安全を効果的に保護できる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179077.tif 000003
【図２】
2020179077.tif 000004
【図３】
2020179077.tif 000005
【図４】
2020179077.tif 000006
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
円形ケースを含み、前記円形ケースの中には上方へ開口した円形溝が設置され、前記円形溝の中には切換機構が設置され、前記切換機構は左右対称の円柱溝を含み、前記円柱溝が前記円形溝の下端壁と外部空間とを連通しており、前記円柱溝の左右端壁には磁性溝が対称的に設置され、前記磁性溝のうち前記円柱溝から離れている端壁には磁石が固定的に設置され、前記磁性溝の中には一端が前記円柱溝の中に位置している鉄ブロックがスライドできるように設置され、前記鉄ブロックと前記磁石との間には吸引力が存在しており、前記鉄ブロックの下端面には移動ブロックが固定的に設置され、前記鉄ブロックの中には上端が前記円形溝の中に位置しているトルク軸が回転できるように設置され、前記トルク軸と前記鉄ブロックとの間には捻りばねが設置され、前記円形溝の中の前記トルク軸には伝動プーリと伝動ギヤとが固定的に設置され、前記伝動ギヤが前記伝動プーリの上側に位置しており、前記切換機構の上側には置き機構が設置され、前記置き機構は環状に排列されるように設置されている四つの方形溝を含み、前記方形溝は上方へ開口しており、且つ前記円形ケースの中に位置しており、前記方形溝のうち前記円形溝に近接している端壁が前記円形溝に連通しており、左側の前記方形溝を例とし、左側の前記方形溝の後端壁には定位軸が固定的に設置され、前記定位軸には右端が前記円形溝の中に位置している横向きロッドが回転できるように設置され、前記定位軸と前記横向きロッドとの間には圧力ばねが設置され、前記横向きロッドの右端には貯蔵ブロックが固定的に設置され、前記貯蔵ブロックの下端面には底部ブロックが固定的に設置され、前記底部ブロックの前端面には斜めロッドが回転できるように設置され、前記貯蔵ブロックの中には貯蔵溝が設置され、前記貯蔵溝の上端壁には水晶展示板が植設され、前記貯蔵溝の下端壁が弾力溝により前記円形溝と連通しており、前記弾力溝の左端壁には弾力ばねが固定的に設置され、前記弾力ばねの右端には前記弾力溝とスライドできるように連結されている弾力板が固定的に設置され、前記弾力板の下端面には下端が前記円形溝の中に位置している開閉ロッドが固定的に設置され、なお、前記移動ブロックを推し動かし、これにより前記鉄ブロックがもう一つの前記磁石に吸着し、これにより前記切換機構が作動状態にあることを特徴とする水晶のアクセサリーケース。
【請求項２】
二つの前記円柱溝の間には下方へ開口した回転溝が設置され、前記回転溝の上端壁の中には上端が前記円形溝の中に位置している駆動軸が回転できるように連結され、前記駆動軸の下端には回転ブロックが固定的に設置され、前記円形溝の中の前記駆動軸には駆動ギヤが固定的に設置され、前記円形ケースの下端面には収縮ひもが固定的に設置され、前記収縮ひもには調節器が固定的に設置され、なお、前記伝動ギヤが運動した後に前記駆動ギヤと噛み合って伝動できることを特徴とする請求項１に記載の水晶のアクセサリーケース。
【請求項３】
前記置き機構と前記切換機構との間には伝動機構が設置され、前記伝動機構は排列するように設置されている四つの鉛直溝を含み、左側の前記鉛直溝を例とし、前記鉛直溝の上下端壁の間には鉛直軸が回転できるように設置され、前記鉛直軸には台形ブロックが固定的に設置され、前記台形ブロックの上側には前記鉛直軸とスライドできるように連結されている運動ブロックが設置され、前記運動ブロックと前記台形ブロックとの間がベルトにより前記伝動プーリと摩擦して伝動され、前記鉛直軸の中には昇降溝が設置され、前記昇降溝の上端壁には昇降ばねが固定的に設置され、前記昇降ばねの下端には左端が前記運動ブロックと固定的に連結されている昇降ロッドがスライドできるように設置され、前記運動ブロックの上側には前記鉛直軸と固定的に連結されている細ロッドが設置され、
前記鉛直溝の右端壁の中には右端壁が前記円形溝に連通している水平移動溝が設置され、前記水平移動溝と前記鉛直溝とが中間溝により連通され、前記水平移動溝の中には水平移動ブロックがスライドできるように設置され、前記水平移動ブロックの中には左方へ開口した力蓄積溝が設置され、前記力蓄積溝の右端壁には力蓄積ばねが固定的に設置され、前記力蓄積ばねの左端には左端が前記中間溝の中に位置している力蓄積ブロックが固定的に設置され、前記水平移動ブロックの右端面には右端が前記円形溝の中に位置している支持ブロックが固定的に設置され、前記支持ブロックが前記斜めロッドと回転できるように連結され、なお、前記細ロッドが回転している時に前記力蓄積ブロックを前記中間溝の中から押し出すことができ、これにより前記水平移動ブロックを連動させて上昇させることを特徴とする請求項１に記載の水晶のアクセサリーケース。
【手続補正２】
【補正対象書類名】明細書
【補正対象項目名】全文
【補正方法】変更
【補正の内容】
【発明の詳細な説明】
【技術分野】
【０００１】
本発明は水晶分野を取り上げて、具体的には水晶のアクセサリーケースである。
【背景技術】
【０００２】
水晶は無色透明な鉱物結晶であり、割られた後に反射を通じて美しい視覚効果を生み出し、水晶のアクセサリーケースはアクセサリーを収納でき、しかもそれ自身が一定の装飾効果を持っており、しかし、現有の水晶のアクセサリーケースは形もアクセサリーを取る又は置く方式も単一であり、アクセサリーを保護及び展示する効果があまりよくない。
【先行技術文献】
【特許文献】
【０００３】
【特許文献１】中国特許出願公開第１０９６４０７３３号明細書
【発明の概要】
【発明が解決しようとする課題】
【０００４】
本発明は水晶のアクセサリーケースを提供し、上記背景技術において提出された問題を解決することを目的とする。
【課題を解決するための手段】
【０００５】
上記の目的を実現するために、本発明は以下の技術プランを提供する：水晶のアクセサリーケースは、円形ケースを含み、前記円形ケースの中には上方へ開口した円形溝が設置され、前記円形溝の中には切換機構が設置され、前記切換機構は左右対称の円柱溝を含み、前記円柱溝が前記円形溝の下端壁と外部空間とを連通しており、前記円柱溝の左右端壁には磁性溝が対称的に設置され、前記磁性溝のうち前記円柱溝から離れている端壁には磁石が固定的に設置され、前記磁性溝の中には一端が前記円柱溝の中に位置している鉄ブロックがスライドできるように設置され、前記鉄ブロックと前記磁石との間には吸引力が存在しており、前記鉄ブロックの下端面には移動ブロックが固定的に設置され、前記鉄ブロックの中には上端が前記円形溝の中に位置しているトルク軸が回転できるように設置され、前記トルク軸と前記鉄ブロックとの間には捻りばねが設置され、前記円形溝の中の前記トルク軸には伝動プーリと伝動ギヤとが固定的に設置され、前記伝動ギヤが前記伝動プーリの上側に位置しており、前記切換機構の上側には置き機構が設置され、前記置き機構は環状に排列されるように設置されている四つの方形溝を含み、前記方形溝は上方へ開口しており、且つ前記円形ケースの中に位置しており、前記方形溝のうち前記円形溝に近接している端壁が前記円形溝に連通しており、左側の前記方形溝を例とし、左側の前記方形溝の後端壁には定位軸が固定的に設置され、前記定位軸には右端が前記円形溝の中に位置している横向きロッドが回転できるように設置され、前記定位軸と前記横向きロッドとの間には圧力ばねが設置され、前記横向きロッドの右端には貯蔵ブロックが固定的に設置され、前記貯蔵ブロックの下端面には底部ブロックが固定的に設置され、前記底部ブロックの前端面には斜めロッドが回転できるように設置され、前記貯蔵ブロックの中には貯蔵溝が設置され、前記貯蔵溝の上端壁には水晶展示板が植設され、前記貯蔵溝の下端壁が弾力溝により前記円形溝と連通しており、前記弾力溝の左端壁には弾力ばねが固定的に設置され、前記弾力ばねの右端には前記弾力溝とスライドできるように連結されている弾力板が固定的に設置され、前記弾力板の下端面には下端が前記円形溝の中に位置している開閉ロッドが固定的に設置され、なお、前記移動ブロックを推し動かし、これにより前記鉄ブロックがもう一つの前記磁石に吸着し、これにより前記切換機構が作動状態にある。
【０００６】
好ましくは、二つの前記円柱溝の間には下方へ開口した回転溝が設置され、前記回転溝の上端壁の中には上端が前記円形溝の中に位置している駆動軸が回転できるように連結され、前記駆動軸の下端には回転ブロックが固定的に設置され、前記円形溝の中の前記駆動軸には駆動ギヤが固定的に設置され、前記円形ケースの下端面には収縮ひもが固定的に設置され、前記収縮ひもには調節器が固定的に設置され、なお、前記伝動ギヤが運動した後に前記駆動ギヤと噛み合って伝動できる。
【０００７】
好ましくは、前記置き機構と前記切換機構との間には伝動機構が設置され、前記伝動機構は排列するように設置されている四つの鉛直溝を含み、左側の前記鉛直溝を例とし、前記鉛直溝の上下端壁の間には鉛直軸が回転できるように設置され、前記鉛直軸には台形ブロックが固定的に設置され、前記台形ブロックの上側には前記鉛直軸とスライドできるように連結されている運動ブロックが設置され、前記運動ブロックと前記台形ブロックとの間がベルトにより前記伝動プーリと摩擦して伝動され、前記鉛直軸の中には昇降溝が設置され、前記昇降溝の上端壁には昇降ばねが固定的に設置され、前記昇降ばねの下端には左端が前記運動ブロックと固定的に連結されている昇降ロッドがスライドできるように設置され、前記運動ブロックの上側には前記鉛直軸と固定的に連結されている細ロッドが設置されている。
【０００８】
前記鉛直溝の右端壁の中には右端壁が前記円形溝に連通している水平移動溝が設置され、前記水平移動溝と前記鉛直溝とが中間溝により連通され、前記水平移動溝の中には水平移動ブロックがスライドできるように設置され、前記水平移動ブロックの中には左方へ開口した力蓄積溝が設置され、前記力蓄積溝の右端壁には力蓄積ばねが固定的に設置され、前記力蓄積ばねの左端には左端が前記中間溝の中に位置している力蓄積ブロックが固定的に設置され、前記水平移動ブロックの右端面には右端が前記円形溝の中に位置している支持ブロックが固定的に設置され、前記支持ブロックが前記斜めロッドと回転できるように連結され、なお、前記細ロッドが回転している時に前記力蓄積ブロックを前記中間溝の中から押し出すことができ、これにより前記水平移動ブロックを連動させて上昇させる。
【発明の効果】
【０００９】
本発明の有益効果は：この装置は四つの空間に分けられてアクセサリーを置き、異なる種類のアクセサリーを類別して別別に置くことができ、且つ水晶展示板を通してアクセサリーの種類を観察でき、また一定の展示効果があり、アクセサリーを取るまたは置く過程は内部から操作をする必要があり、アクセサリーの安全を効果的に保護できる。
【図面の簡単な説明】
【００１０】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の水晶のアクセサリーケースの全体断面の正面構成模式図
【図２】図２は図１の中のＡにおける拡大構成模式図
【図３】図３は図１の中のＢにおける拡大構成模式図
【図４】図４は図１の中のＣ―Ｃにおける構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の実施例は：水晶のアクセサリーケースであり、円形ケース１０を含み、前記円形ケース１０の中には上方へ開口した円形溝３０が設置され、前記円形溝３０の中には切換機構６０が設置され、前記切換機構６０は左右対称の円柱溝５６を含み、前記円柱溝５６が前記円形溝３０の下端壁と外部空間とを連通しており、前記円柱溝５６の左右端壁には磁性溝４８が対称的に設置され、前記磁性溝４８のうち前記円柱溝５６から離れている端壁には磁石４７が固定的に設置され、前記磁性溝４８の中には一端が前記円柱溝５６の中に位置している鉄ブロック５２がスライドできるように設置され、前記鉄ブロック５２と前記磁石４７との間には吸引力が存在しており、前記鉄ブロック５２の下端面には移動ブロック５４が固定的に設置され、前記鉄ブロック５２の中には上端が前記円形溝３０の中に位置しているトルク軸５０が回転できるように設置され、前記トルク軸５０と前記鉄ブロック５２との間には捻りばね５３が設置され、前記円形溝３０の中の前記トルク軸５０には伝動プーリ４９と伝動ギヤ５１とが固定的に設置され、前記伝動ギヤ５１が前記伝動プーリ４９の上側に位置しており、前記切換機構６０の上側には置き機構６１が設置され、前記置き機構６１は環状に排列されるように設置されている四つの方形溝１２を含み、前記方形溝１２は上方へ開口しており、且つ前記円形ケース１０の中に位置しており、前記方形溝１２のうち前記円形溝３０に近接している端壁が前記円形溝３０に連通しており、左側の前記方形溝１２を例とし、左側の前記方形溝１２の後端壁には定位軸１３が固定的に設置され、前記定位軸１３には右端が前記円形溝３０の中に位置している横向きロッド１５が回転できるように設置され、前記定位軸１３と前記横向きロッド１５との間には圧力ばね１４が設置され、前記横向きロッド１５の右端には貯蔵ブロック２３が固定的に設置され、前記貯蔵ブロック２３の下端面には底部ブロック１６が固定的に設置され、前記底部ブロック１６の前端面には斜めロッド１１が回転できるように設置され、前記貯蔵ブロック２３の中には貯蔵溝１９が設置され、前記貯蔵溝１９の上端壁には水晶展示板１８が植設され、前記貯蔵溝１９の下端壁が弾力溝２２により前記円形溝３０と連通しており、前記弾力溝２２の左端壁には弾力ばね２１が固定的に設置され、前記弾力ばね２１の右端には前記弾力溝２２とスライドできるように連結されている弾力板２０が固定的に設置され、前記弾力板２０の下端面には下端が前記円形溝３０の中に位置している開閉ロッド１７が固定的に設置され、なお、前記移動ブロック５４を推し動かし、これにより前記鉄ブロック５２がもう一つの前記磁石４７に吸着し、これにより前記切換機構６０が作動状態にある。
【００１４】
有益的には、二つの前記円柱溝５６の間には下方へ開口した回転溝２７が設置され、前記回転溝２７の上端壁の中には上端が前記円形溝３０の中に位置している駆動軸２６が回転できるように連結され、前記駆動軸２６の下端には回転ブロック２４が固定的に設置され、前記円形溝３０の中の前記駆動軸２６には駆動ギヤ２８が固定的に設置され、前記円形ケース１０の下端面には収縮ひも２９が固定的に設置され、前記収縮ひも２９には調節器２５が固定的に設置され、なお、前記伝動ギヤ５１が運動した後に前記駆動ギヤ２８と噛み合って伝動できる。
【００１５】
有益的には、前記置き機構６１と前記切換機構６０との間には伝動機構６２が設置され、前記伝動機構６２は排列するように設置されている四つの鉛直溝３７を含み、左側の前記鉛直溝３７を例とし、前記鉛直溝３７の上下端壁の間には鉛直軸３９が回転できるように設置され、前記鉛直軸３９には台形ブロック３２が固定的に設置され、前記台形ブロック３２の上側には前記鉛直軸３９とスライドできるように連結されている運動ブロック３４が設置され、前記運動ブロック３４と前記台形ブロック３２との間がベルト３１により前記伝動プーリ４９と摩擦して伝動され、前記鉛直軸３９の中には昇降溝３５が設置され、前記昇降溝３５の上端壁には昇降ばね３６が固定的に設置され、前記昇降ばね３６の下端には左端が前記運動ブロック３４と固定的に連結されている昇降ロッド３３がスライドできるように設置され、前記運動ブロック３４の上側には前記鉛直軸３９と固定的に連結されている細ロッド３８が設置されている。
【００１６】
前記鉛直溝３７の右端壁の中には右端壁が前記円形溝３０に連通している水平移動溝４３が設置され、前記水平移動溝４３と前記鉛直溝３７とが中間溝４０により連通され、前記水平移動溝４３の中には水平移動ブロック４２がスライドできるように設置され、前記水平移動ブロック４２の中には左方へ開口した力蓄積溝４６が設置され、前記力蓄積溝４６の右端壁には力蓄積ばね４５が固定的に設置され、前記力蓄積ばね４５の左端には左端が前記中間溝４０の中に位置している力蓄積ブロック４１が固定的に設置され、前記水平移動ブロック４２の右端面には右端が前記円形溝３０の中に位置している支持ブロック４４が固定的に設置され、前記支持ブロック４４が前記斜めロッド１１と回転できるように連結され、なお、前記細ロッド３８が回転している時に前記力蓄積ブロック４１を前記中間溝４０の中から押し出すことができ、これにより前記水平移動ブロック４２を連動させて上昇させる。
【００１７】
以下、出願人は付図１〜４及び上記の本出願の水晶のアクセサリーケースの具体的な構成を参照して本出願の水晶のアクセサリーケースの使用方法を詳しく紹介する：初期状態において、圧力ばね１４が圧縮状態にあり、すべての貯蔵溝１９の中にアクセサリーが貯蔵されている。
【００１８】
水晶展示板１８を通して貯蔵溝１９に貯蔵されているアクセサリーを観察でき、ある貯蔵溝１９にあるアクセサリーを取り出す時、対応した移動ブロック５４を推し動かし、これにより鉄ブロック５２がもう一つの磁石４７に吸着し、対応した伝動ギヤ５１が駆動ギヤ２８と噛み合い、鉄ブロック５２が運動ブロック３４を引き動かして上へ運動させ、回転ブロック２４を回転させ、駆動ギヤ２８を連動させて回転させ、駆動ギヤ２８と伝動ギヤ５１との噛み合いによる伝動を通して、伝動プーリ４９を連動させて回転させ、ベルト３１の摩擦による伝動を通して、台形ブロック３２を連動させて回転させることができ、これにより細ロッド３８を連動させて回転させ、力蓄積ブロック４１を推し動かして中間溝４０から離脱させ、圧力ばね１４が復帰して横向きロッド１５の回転を連動させ、したがって貯蔵ブロック２３が連動して一定角度に回転して斜めロッド１１を移動させ、したがって水平移動ブロック４２が連動して上昇し、この時、開閉ロッド１７を押し動かし、貯蔵溝１９の中からアクセサリーを取る又は貯蔵溝１９の中にアクセサリーを置くことができ、収縮ひも２９を利用して装置をアームまたは腰にくくることができ、調節器２５が収縮ひも２９の長さを調節できる。
【００１９】
本発明の有益効果は：この装置は四つの空間に分けられてアクセサリーを置き、異なる種類のアクセサリーを類別して別別に置くことができ、且つ水晶展示板を通してアクセサリーの種類を観察でき、また一定の展示効果があり、アクセサリーを取るまたは置く過程は内部から操作をする必要があり、アクセサリーの安全を効果的に保護できる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。